(57)【要約】【解決手段】  異なる温度で流体を交互に施与することにより人間の組織の傷害部位２６の治療を促進または助成する装置である。該装置はスプレー施与器２３と圧力ポンプ１４と流体ヒーター１１を具えた流体のための貯留器１とを有している。使用時にはスプレー施与器２３が圧力ポンプ１４に連結され、貯留器１からの選ばれた温度の流体の定期スプレーが傷害部位２６に施与されて血液循環を増加させる。
2005532125.tif 000002
【特許請求の範囲】
【請求項１】
異なる温度で流体を交互施与することにより人間組織の障害部位を治療することを促進または助成する装置であって、スプレー施与器と圧力ポンプと流体ヒーターとを具えた流体貯留器とを有しており、装置の使用時にはスプレー施与器が圧力ポンプに連結され、貯留器からの選択された温度での流体の定期スプレーが傷害部位に施与されて血液循環を増加させることを特徴とする傷害部位治療促進助成装置。
【請求項２】
さらに選択された温度より低温の第２の流体スプレーの源が設けられていることを特徴とする請求項１に記載の装置。
【請求項３】
流体貯留器が流体ヒーターと圧力ポンプが内臓されたタンクであることを特徴とする請求項２に記載の装置。
【請求項４】
さらに流体の回収・再使用のための容器または貯槽が設けられていることを特徴とする請求項３に記載の装置。
【請求項５】
流体が水に溶解した塩または鉱物の溶液であることを特徴とする請求項４に記載の装置。
【請求項６】
電気ショックを回避すべく圧力ポンプが１２ボルト供給から外れて作動するのに適していることを特徴とする請求項５に記載の装置。
【請求項７】
さらに流体ヒーターを制御するための温度計が設けられていることを特徴とする請求項６に記載の装置。
【請求項８】
貯留器が円筒状のタンクであって、屋内浴室に配置するのに適したサイズであることを特徴とする請求項７に記載の装置。
【請求項９】
人間組織の傷害部位への血液循環を促進する方法であって、貯留器中において流体を選択された温度に加熱し、選択された温度の流体の定期スプレーを傷害部位に施与することを特徴とする傷害部位への血液循環促進方法。
【請求項１０】
さらに選択された温度における流体の定期スプレーを交互に行い、かつ選択された温度よりも低温の流体定期スプレーを一緒に行うことを特徴とする請求項９に記載の方法。
【発明の詳細な説明】
【技術分野】
【０００１】
この発明は影響された部位への血液循環増加により処置可能な傷害または異常部位の治療を促進する装置と方法とに関するものである。
【背景技術】
【０００２】
レクリエーションや仕事活動からくる筋肉、靭帯、腱などの傷害は非常に一般的であり、それらの共同体へのコストは非常なものである。そのような状態の治療には処置、超音波、外科など多くの取扱いが確立されている。しかし多くの場合において患者にとって不充分であるかまたはトラウマを惹起することが分かった。
【発明の要旨】
【０００３】
しかしてこの発明の目的は、上記の不都合を改善または少なくとも既知の処置に対して実務的で、非医療的で、非強制的な代替手段を公衆に与えることにある。
【０００４】
この発明の第１の技術思想においては、人間組織の障害部位への異なる温度の流体の交互施与により治療を促進または助成する装置を提供するものであり、該装置はスプレー施与器、圧力ポンプ手段、流体を収容する貯留器および流体ヒーターを有したものである。装置の使用時には、スプレー施与器が圧力ポンプ手段に連結され、貯留器からの選択された温度の流体がある定期期間傷害部位に施与されて血液循環を促進・増加させるものである。
【０００５】
該装置は好ましくはさらに傷害部位への施与後に回収および再使用のための流体容器または貯槽を有している。
【０００６】
さらに好ましくは流体貯留器はサーモスタット付きのヒーターと圧力ポンプが内蔵されたタンクとを内蔵している。
【０００７】
さらに好ましくは、流体は水に溶解した塩と鉱物の溶液を含んでいる。
【０００８】
この発明の第２の技術思想においては、上記の装置を使って人間組織の傷害部位への血液循環を促進する方法に係るものであって、該方法にあっては流体のために異なる温度を選び、流体の定期スプレーを傷害部位に施与し、その際にスプレーが上記の異なる温度間を交互するものである。
【好ましき実施例の詳細な説明】
【０００９】
図１〜４において、直立円筒状タンク１はステンレス、ファイバーグラス、プラスチックなどの適当な材料から形成されており、断熱壁２と蓋３を有している。タンクには入口４、出口５、電力スイッチ６、デジタルサーモスタット制御盤７、センサー８、溢流部９、加熱要素１１、１２のための主電力コード１０、電圧供給部１１Ａおよびポンプ１４用の電力コード１３などが設けられている。
【００１０】
各側部には運搬用ハンドル１５、ヒーター用のパイロットランプ１６およびゴム製の脚１７などが取り付けられている。図３、４に明示するように、タンクの底部１９には上方に延在するポンプ取入部１８が貫通している。タンクの容量は特に限定されるものではないが、この実施例では水が約２０リットルである。したがってタンクは図５に示すように屋内バスタブ２０の傍に配置される適宜なサイズである。
【００１１】
圧力ポンプ１４は好ましくは１２ボルトの電圧供給１１Ａから外れて作動するようにして電気衝撃を回避しており、オーストラリアのニューサウスウェールズノースパラマッタのＢｉａｓ  ｂｏａｔｉｎｇのモデル第２０８８／４２３／３４４号などの市販のダイアフラム型が用いられる。
【００１２】
熱水がタンク底部の図示しないスクリーンまたはフィルターを具えた取入口１８を経て圧力ポンプ内に引き込まれる。圧力ポンプの高圧出口側はパイプ２１を介してタンク出口５に連結されている。
【００１３】
装置の使用時には、圧力ホース２２と６位置調整可能なスプレーガン２３（オーストラリアで商品名「Ｇａｒｄｅｎｅｒｓ  Ｃｈｏｉｃｅ」で販売されているような）がタンク出口５に連結され、貯槽ポンプ２４が容器２０の底部に配置されてタンク入口４に連結され、１２ボルト加熱要素用の電力コード１０、１３、２５に接続される。圧力ポンプと貯槽ポンプは適宜な電力源に接続される。
【００１４】
使用流体は特に限定されるものではないが、１ｇ／１ｌの比で水を添加物と混合したものなどがある。添加物の一例としてはローレル硫酸１６％、メタ珪酸ナトリウム３０％、重炭酸ナトリウム５０％、ユーカリ油脂２％、ギョリュウバイ油脂２％などからなるものがある。
【００１５】
熱／冷スプレーサイクルにより生成される温度差と一緒になった上記の塩と鉱物との溶液は傷害部位の血管を拡張させる。これにより循環が増加し傷の治療を促進する。
【００１６】
限定されるものではないが、例えばサーモスタットは４１℃にセットされ、スプレーガン圧力は１０〜８００ｋｐａにセットされる。
【００１７】
ついで加熱溶液を例えば使用者の足首や下肢２６などの傷害部位に選ばれた期間スプレーする。容器中に回収されている溶液は貯槽ポンプ２４によりタンクに戻されて、再加熱や再使用される。したがってごく少量の溶液で長期間スプレーすることができる。
【００１８】
加熱溶液は約１０℃でスプレーされる冷水と交互になるのが望ましい。これは別個のタンク（図示せず）または主水供給源から行うことができる。処理の回数と期間および処理当りの熱／冷サイクルは使用者または特定の作動装置により決まる。足首を挫いたなどの一般的な傷害には上記の溶液を用いて下記の処理を２日間に亙って行うと良好な結果が得られる。
【００１９】
熱スプレー温度を４１℃とし、冷スプレー温度を１０℃とし、熱スプレー期間を３０分とし、冷スプレー期間を５分とし、処理当りの熱／冷サイクル数を１とし、処理回数を６とする。
【００２０】
少なくとも上記したような実施例により人間の傷ついた組織の新しい有効な治療装置と治療を促進する方法が得られる。しかし以上は例示に過ぎず当業者に明らかな範囲で種々の変更を加えることができる。例えば、タンクのサイズと形状と構造、スプレーの温度と圧力と期間、使用する添加物などは処理の必要に応じて変更できる。タンクの材料はステンレスに限らず、ファイバーグラスやプラスチックなども現在好ましい。
【図面の簡単な説明】
【００２１】
【図１】装置の流体タンク部分の斜視図である。
【図２】図１のタンクを流体を除いた状態で示す平面図である。
【図３】タンクの底面図である。
【図４】図２中線Ａ−Ａに沿って取ったタンクの断面図である。
【図５】装置の使用状態を示す斜視図である。
【符号の説明】
【００２２】
１：タンク
５：出口
１１：加熱要素
１４：ポンプ
１８：ポンプ取入口
２３：スプレーガン
２４：貯留ポンプ
２６：傷害部位
【図１】
2005532125.tif 000003
【図２】
2005532125.tif 000004
【図３】
2005532125.tif 000005
【図４】
2005532125.tif 000006
【図５】
2005532125.tif 000007
【手続補正書】
【提出日】平成16年4月15日(2004.4.15)
【手続補正１】
【補正対象書類名】特許請求の範囲
【補正対象項目名】全文
【補正方法】変更
【補正の内容】
【特許請求の範囲】
【請求項１】
異なる温度で流体を交互施与することにより人間組織の傷害部位を治療することを促進または助成する装置であって、スプレー施与器と圧力ポンプを具えた第１の流体のための貯留器と流体ヒーターとを有しており、装置の使用時にはスプレー施与器が圧力ポンプに連結され、貯留器からの選択された温度での第１の流体の定期スプレーが傷害部位に施与されて血液循環を増加し、選択された温度より低温の第２の流体のスプレー源が設けられていることを特徴とする装置。
【請求項２】
流体貯留器がタンクであって、流体ヒーターと圧力ポンプが該タンクに内蔵されていることを特徴とする請求項１に記載の装置。
【請求項３】
さらに流体の一方か両方の回収・再使用のための容器または貯槽が設けられていることを特徴とする請求項２に記載の装置。
【請求項４】
第１の流体が水に溶解した塩と鉱物の溶液であることを特徴とする請求項３に記載の装置。
【請求項５】
電気ショックを回避すべく、圧力ポンプが１２ボルト供給以外で作動するようになっていることを特徴とする請求項４に記載の装置。
【請求項６】
さらに流体ヒーターを制御するサーモスタットが設けられていることを特徴とする請求項５に記載の装置。
【請求項７】
貯留器が屋内浴室内に配置するのに適したサイズの円筒状のタンクであることを特徴とする請求項６に記載の装置。
【請求項８】
異なる温度で流体を交互施与することにより人間組織の傷害部位を治療することを促進または助成する方法であって、スプレー施与器と圧力ポンプを具えた第１の流体のための貯留器と流体ヒーターとを有した装置を用意し、ここでスプレー施与器は圧力ポンプに連結されており、貯留器からの選択された温度での第１の流体の定期スプレーが傷害部位に施与されて血液循環を増加し、選択された温度より低温の第２の流体のスプレー源が設けられており、貯留器内で第１の流体を選択された温度に加熱し、該選択された温度の第１の流体の定期スプレーを傷害部位に施与し、選択された温度より低温の第２の流体のスプレーと該定期スプレーとを交互に行うことを特徴とする方法。
【国際調査報告】
2005532125.tif 000008
2005532125.tif 000009
2005532125.tif 000010